(57)【特許請求の範囲】
【請求項１】
パネルに取り付けられて固定接点を収容するスイッチケースと、該スイッチケースに対して変位可能に保持されて可動接点を変位させる可動部材と、該可動部材に連結される操作ノブと、該操作ノブと前記可動部材との間からの水の浸入を防ぐシール部材を備える防水スイッチにおいて、
前記操作ノブに、前記可動部材との間で前記シール部材の一端を挟着する周縁部を形成するとともに、前記操作ノブの周縁部の端から該操作ノブの押込方向にオフセットした位置に、前記シール部材と前記可動部材とが嵌合する凹凸状の嵌合部を形成し、前記シール部材に作用して前記操作ノブを前記可動部材から外す方向の外力を、前記嵌合部を介して前記可動部材によって受けるよう構成したことを特徴とする防水スイッチ。
【請求項２】
前記シール部材の前記嵌合部と対向する部位の外周面と前記操作ノブの外周面とを略面一に連続する面としたことを特徴とする請求項１記載の防水スイッチ。
【請求項３】
前記嵌合部は、前記可動部材の周縁に形成されたフランジ部から径方向外方に突設された凸部と、前記シール部材の内周面に形成された凹部とで構成されることを特徴とする請求項１又は２記載の防水スイッチ。
【請求項４】
前記可動部材を、前記可動接点を有するスライダと前記フランジ部が形成されたノブベースとを係着することによって構成するとともに、前記ノブベースの内周面に、前記操作ノブと係合する係合部を形成したことを特徴とする請求項３記載の防水スイッチ。
【請求項５】
前記ノブベースを透光性材料で構成するとともに、該ノブベースに、前記操作ノブとの間で閉空間を形成する光透過部を設けたことを特徴とする請求項４記載の防水スイッチ。
【請求項６】
前記シール部材を中空の蛇腹状に成形し、該シール部材の一端に、前記操作ノブの周縁部と前記ノブベースのフランジ部周縁との間で挟着される被挟着部を形成し、他端に、前記スイッチケースの一端に取り付けられる固定部を形成したことを特徴とする請求項４又は５記載の防水スイッチ。
【発明の詳細な説明】
【技術分野】
【０００１】
本発明は、防水用のシール部材によって可動部をシールして成る防水スイッチに関するものである。
【背景技術】
【０００２】
従来、直線方向に操作することによって接点切り替えを行うスイッチ等には、防塵及び防水のために可動部をゴムブーツ等のシール部材で覆う構成が採用されているが、その一例を図７に示す（特許文献１参照）。
【０００３】
即ち、図７は防水スイッチ要部の側断面図であり、ゴム等の弾性部材によって中空の蛇腹状に成形されたシール部材１０９は、その一端がスイッチケース１０２の先端に形成された環状の溝部１０２ａに嵌着され、他端がシャフト１０３の先端に形成された環状の溝部１０３ａに嵌着されることによって取り付けられており、シャフト１０３のスイッチケース１０２から突出する部分がシール部材１０９によって覆われている。
【０００４】
上記防水スイッチにおいては、シール部材１０９の両端部は、その弾性によって径方向に縮もうとする力のみによってスイッチケース１０２とシャフト１０３の各溝部１０２ａ，１０３ａに嵌着されるため、該シール部材１０９が劣化によって硬化して弾性を失った場合には、その両端の嵌着力が低下したり、該シール部材１０９に亀裂が発生してシール性能が著しく低下するという問題が発生する可能性がある。
【０００５】
上記問題を解決するため、特許文献２には、図８の断面図に示すように、ゴムキャップ（シール部材）２０９に形成された通孔２０９ａに操作杆（シャフト）２０３の先端に形成された連結軸２０３ａを通し、この連結軸２０３ａに、駆動杆２０３とは別体の操作釦（操作ノブ）２０４をゴムキャップ２０９の外面側から固着するとともに、該操作釦２０４の下面をゴムキャップ２０９の通孔２０９ａの周縁に圧接する構成が提案されている。
【先行技術文献】
【特許文献】
【０００６】
【特許文献１】特許第４３２８５７４号公報
【特許文献２】特開平５−００２９４７号公報
【発明の概要】
【発明が解決しようとする課題】
【０００７】
しかしながら、特許文献２において提案された構成では、操作釦２０４にこれを駆動杆２０３から取り外す方向の外力が加わった場合には、該操作釦２０３が駆動杆２０３から容易に離脱してしまうという問題がある。
【０００８】
又、ゴムキャップ２０９の組み付けに際しては、該ゴムキャップ２０９の通孔２０９ａの周縁を操作釦２０４と駆動杆２０３の何れにも圧接させつつ該ゴムキャップ２０９を固定位置に収める必要があるため、ゴムキャップ２０９と操作釦２０４及び駆動杆２０３との間の摺動摩擦によってゴムキャップ２０９が本来の固定位置からずれた位置で固定されてしまうことがあり、ゴムキャップ２０９の組付性が悪いという問題もあった。
【０００９】
本発明は上記問題に鑑みてなされたもので、その目的とする処は、高い防水性を確保しつつ、操作ノブの離脱を防ぐとともに、組付性の向上を図ることができる防水スイッチを提供することにある。
【課題を解決するための手段】
【００１０】
上記目的を達成するため、請求項１記載の発明は、パネルに取り付けられて固定接点を収容するスイッチケースと、該スイッチケースに対して変位可能に保持されて可動接点を変位させる可動部材と、該可動部材に連結される操作ノブと、該操作ノブと前記可動部材との間からの水の浸入を防ぐシール部材を備える防水スイッチにおいて、前記操作ノブに、前記可動部材との間で前記シール部材の一端を挟着する周縁部を形成するとともに、前記操作ノブの周縁部の端から該操作ノブの押込方向にオフセットした位置に、前記シール部材と前記可動部材とが嵌合する凹凸状の嵌合部を形成し、前記シール部材に作用して前記操作ノブを前記可動部材から外す方向の外力を、前記嵌合部を介して前記可動部材によって受けるよう構成したことを特徴とする。
【００１１】
請求項２記載の発明は、請求項１記載の発明において、前記シール部材の前記嵌合部と対向する部位の外周面と前記操作ノブの外周面とを略面一に連続する面としたことを特徴とする。
【００１２】
請求項３記載の発明は、請求項１又は２記載の発明において、前記嵌合部は、前記可動部材の周縁に形成されたフランジ部から径方向外方に突設された凸部と、前記シール部材の内周面に形成された凹部とで構成されることを特徴とする。
【００１３】
請求項４記載の発明は、請求項３記載の発明において、前記可動部材を、前記可動接点を有するスライダと前記フランジ部が形成されたノブベースとを係着することによって構成するとともに、前記ノブベースの内周面に、前記操作ノブと係合する係合部を形成したことを特徴とする。
【００１４】
請求項５記載の発明は、請求項４記載の発明において、前記ノブベースを透光性材料で構成するとともに、該ノブベースに、前記操作ノブとの間で閉空間を形成する光透過部を設けたことを特徴とする。
【００１５】
請求項６記載の発明は、請求項４又は５記載の発明において、前記シール部材を中空の蛇腹状に成形し、該シール部材の一端に、前記操作ノブの周縁部と前記ノブベースのフランジ部周縁との間で挟着される被挟着部を形成し、他端に、前記スイッチケースの一端に取り付けられる固定部を形成したことを特徴とする。
【発明の効果】
【００１６】
請求項１記載の発明によれば、操作ノブに形成された周縁部と可動部材との間でシール部材の一端を挟着するとともに、可動部材とシール部材とを凹凸嵌合させることによって両者の接触面積が増えるため、操作ノブと可動部材との間からの浸水を確実に防ぐことができ、当該防水スイッチの防水性が高められる。
【００１７】
又、シール部材と可動部材との嵌合部を操作ノブの周縁部の端から該操作ノブの押込方向にオフセットした位置に形成したため、シール部材に操作ノブを可動部材から外す方向の外力が作用した場合、この外力は嵌合部を介して可動部材によって受けられ、操作ノブに外力が作用することがなく、該操作ノブの可動部材からの離脱が確実に防がれる。
【００１８】
更に、防水スイッチの組み付けに際しては、嵌合部によってシール部材が可動部材に保持された状態で操作ノブを組み付けることができるため、シール部材が本来の位置からずれた位置に固定されることがなく、当該防水スイッチの組付性が高められる。
【００１９】
請求項２記載の発明によれば、シール部材の嵌合部と対向する部位の外周面と操作ノブの外周面とを略面一に連続する面としたため、シール部材と操作ノブとの境界に段差が発生せず、操作ノブを直接操作して外そうとしてもシール部材が邪魔となって操作することができず、操作ノブを取り外すことができない。
【００２０】
請求項３記載の発明によれば、可動部材の周縁に形成されたフランジ部から径方向外方に突設された凸部とシール部材の内周面に形成された凹部とを嵌合させるようにしたため、シール部材を介して操作ノブを可動部材から外れる方向に押しても、その押圧力は凸部と凹部による嵌合部を介して可動部材によって受けられて操作ノブには及ばないため、操作ノブの可動部材からの外れが確実に防がれる。
【００２１】
請求項４記載の発明によれば、スライダとノブベースとを係着することによって可動部材を構成するとともに、ノブベースの内周面に、操作ノブと係合する係合部を形成したため、操作ノブをノブベースに確実に固定することができるとともに、該操作ノブをノブベースに固定した後には係合部がノブベースの内部にあるために操作ノブを容易に取り外すことができない。
【００２２】
又、ノブベースと操作ノブ及びシール部材をサブ組した後に、スライダに対してノブベースを取り付ければ良いため、当該防水スイッチの組立性が高められる。
【００２３】
請求項５記載の発明によれば、ノブベースを透光性材料で構成するとともに、該ノブベースの光透過部と操作ノブとの間に閉空間が形成されるため、たとえシール部材の挟着部から水が浸入したとしても、この水は閉空間に閉じ込められてそれ以外の部位には流れ込まず、当該防水スイッチの防水性が高められる。
【００２４】
請求項６記載の発明によれば、スイッチケースに対して可動の操作ノブとノブベースによって蛇腹状のシール部材の一端を挟着し、シール部材の他端をスイッチケースの一端に取り付けたため、シール部材が弾性変形して操作ノブと可動部材の変位を許容するとともに、両者間（可動部）からの水の浸入を確実に防ぐ機能を果たす。又、透光性材料から成るノブベースを通って操作ノブとスイッチケースとの間からの光の漏れがシール部材によって確実に防がれるため、当該防水スイッチの外観性が高められる。
【図面の簡単な説明】
【００２５】
【図１】本発明に係る防水スイッチの分解斜視図である。
【図２】本発明に係る防水スイッチの側面図である。
【図３】図２のＡ−Ａ線断面図である。
【図４】本発明に係る防水スイッチの背面図である。
【図５】図３のＢ部拡大詳細図である。
【図６】本発明に係る防水スイッチの操作ノブとシール部材及びノブベースの斜視図である。
【図７】特許文献１において提案された防水スイッチ要部の側断面図である。
【図８】特許文献２において提案された防水スイッチ要部の断面図である。
【発明を実施するための形態】
【００２６】
以下に本発明の実施の形態を添付図面に基づいて説明する。
【００２７】
図１は本発明に係る防水スイッチの分解斜視図、図２は同防水スイッチの側面図、図３は図２のＡ−Ａ線断面図、図４は同防水スイッチの背面図、図５は図３のＢ部拡大詳細図、図６は同防水スイッチの操作ノブとシール部材及びノブベースの斜視図である。
【００２８】
本発明に係る防水スイッチ１は、略矩形筒状のスイッチケース２の内部に可動部材３を変位可能に収容するとともに、該可動部材３のスイッチケース２から突出する先端部（図２の左端部）に操作ノブ４を取り付け、スイッチケース２の後端部（図２の右端部）から内部にターミナルベース５を組み込んで構成されている。
【００２９】
上記スイッチケース２は、その左右両側部に一体に形成された係合爪２ａを不図示のパネルの装着孔の周縁に係合させることによってパネルに固定される。そして、このスイッチケース２の前端部には円形のフランジ部２Ａが一体に形成されており、このフランジ部２Ａには図１及び図３に示すようにリング溝状のスプリング受け２ｂが形成されている。又、図１に示すように、スイッチケース２の後端部の上下には矩形の係合孔２ｃ（図１には一方のみ図示）が形成されている。
【００３０】
上記スイッチケース２の内部に図３の左右方向に変位可能に収容された前記可動部材３は、矩形ブロック状のスライダ６とその先端部に係着される２段筒状のノブベース７とで構成されており、スライダ６は不透光性材料によって一体成形され、ノブベース７はアクリル樹脂等の透明な透光性材料によって一体に成形されている。
【００３１】
そして、上記スライダ６の前端には円筒状の嵌合筒６Ａ（図１参照）が一体に形成されており、この嵌合筒６Ａの左右両側部には図１及び図３に示すように係合爪６ａ（図１には一方のみ図示）が一体に形成され、嵌合筒６Ａの上下には幅の異なるガイド突起６ｂ（図１には一方のみ図示）が突設されている。尚、スライダ６には不図示の可動接点が設けられており、この可動接点は前記操作ノブ４の押圧操作によってターミナルベース５に設けられた固定接点５ｃ（図１参照）に選択的に接触する。
【００３２】
前記ノブベース７は、小径の嵌合筒７Ａの前端に環状のフランジ部７Ｂを一体に形成して構成されており、図６に示すように、嵌合筒７Ａの左右両側部（スライダ６の前記係合爪６ａに対応する部分）には矩形の係合孔７ａが形成され、嵌合筒７Ａの上下には幅の異なるガイド溝７ｂがそれぞれ形成されている。又、ノブベース７の嵌合筒７Ａとフランジ部７Ｂとの間には、図３に示すように円形の隔壁としての光透過部７ｃが形成されており、フランジ部７Ｂの内周面の周方向４箇所には図１に示すように矩形の係合爪７ｄ（図１には１つのみ図示）が形成されるとともに、同フランジ部７Ｂの内周面の上下には幅の異なるガイド突起７ｅ（図１には一方のみ図示）が突設されている。
【００３３】
又、図５に詳細に示すように、ノブベース７のフランジ部７Ｂの外周にはフランジ状の凸部７ｆが径方向外方に向かって一体に突設されている。
【００３４】
而して、ノブベース７は、その嵌合筒７Ａが図３に示すようにスライダ６の嵌合筒６Ａの外周に嵌め込まれるが、このとき、該嵌合筒７Ａの上下に形成された幅の異なるガイド溝７ｂ（図６参照）にスライダ６の嵌合筒６Ａの上下に突設されたガイド突起６ｂ（図１参照）が嵌合することによってノブベース７とスライダ６との周方向の位置決めがなされるとともに、両者の誤組が防がれる。そして、ノブベース７の嵌合筒７Ａをスライダ６の嵌合筒６Ａに嵌め込んだ状態でノブベース７を押し込むと、図３に示すように該ノブベース７の嵌合筒７Ａに形成された係合孔７ａにスライダ６の嵌合筒６Ａに突設された係合爪６ａが係合し、スライダ６の先端部にノブベース７が取り付けられて両者が係着されて一体化される。
【００３５】
前記操作ノブ４は、アクリル樹脂等の透明な透光性材料によって円形に一体成形されており、その裏側には図６に示すように嵌合筒４Ａが一体に形成されている。そして、この嵌合筒４Ａの外周の周方向４箇所（ノブベース７のフランジ部７Ｂに形成された係合爪７ｄ（図１参照）に対応する４箇所）には係合孔４ａ（図６には１つのみ図示）が形成されており、嵌合筒４Ａの上下には幅の異なるガイド溝４ｂが形成されている。
【００３６】
而して、操作ノブ４は、その嵌合筒４Ａが図３に示すようにノブベース７のフランジ部７Ｂの内周に嵌め込まれるが、このとき、該嵌合筒４Ａの上下に形成された幅の異なるガイド溝４ｂにノブベース７のフランジ部７Ｂの内周面の上下に突設された幅の異なるガイド突起７ｅ（図３には一方のみ図示）が嵌合することによって操作ノブ４とノブベース７との周方向の位置決めがなされるとともに、両者の誤組が防がれる。そして、操作ノブ４の嵌合筒４Ａをノブベース７のフランジ部７Ｂの内周に嵌め込んだ状態で該操作ノブ４を押し込むと、ノブベース７のフランジ部７Ｂの係合爪７ｄが操作ノブ４の嵌合筒４Ａに突設された係合孔４ａに係合し、操作ノブ４がノブベース７のフランジ部７Ｂに取り付けられて該操作ノブ４とノブベース７が一体化される。このように操作ノブ４がノブベース７に固定された後はノブベース７側の係合爪７ｄがノブベース７の内部にあるために操作ノブ４を容易に取り外すことができない。
【００３７】
以上のようにして可動部材３を構成するスライダ６とノブベース７が係着されて両者が一体化され、ノブベース７に操作ノブ４が係合によって固定されるが、これらの操作ノブ４と可動部材３はスイッチケース２に対して図３の左右方向に変位可能に保持されており、これらはノブベース７の背面とスイッチケース２のフランジ部２Ａに形成された前記スプリング受け部２ｂとの間に縮装されたリターンスプリング８によって図３の左方（スライダ６側の不図示の可動接点がターミナルベース５の固定接点５ｃから離れて当該防水スイッチ１がＯＦＦされる方向）に付勢されている。
【００３８】
ところで、図３に示すように、当該防水スイッチ１のスイッチケース２から前方へ突出する可動部であるノブベース７やリターンスプリング８は防水用のシール部材９によって覆われてシールされている。ここで、シール部材９は、ゴム等の弾性材によって中空の蛇腹状に成形されており、その一端には被挟着部９ａが形成され、他端には固定部９ｂが形成されている。
【００３９】
又、図５に詳細に示すように、シール部材９の内周面には凹部９ｃが全周に亘って形成されており、この凹部９ｃに前記ノブベース７のフランジ部７Ｂに形成された凸部７ｆが嵌合している。ここで、互いに嵌合するノブベース７の凸部７ｆとシール部材９の凹部９ｃとは嵌合部を構成しており、この嵌合部は、操作ノブ４の周縁部４Ｂの端から該操作ノブ４の押込方向（図５の右方）に図示のεだけオフセットした位置に形成されており、本実施の形態では、嵌合部のオフセット量εは、操作ノブ４の周縁部４Ｂの端からノブベース７の凸部７ｆの中心がオフセットしている距離であり、操作ノブ４の周縁部４Ｂの端からノブベース７の凸部７ｆの操作ノブ４と対向する面７ｇとの間でシール部材９を挟着している。即ち、嵌合部のオフセット量εは、操作ノブ４の周縁部４Ｂの端とノブベース７の凸部７ｆの面７ｇとの間がシール部材９の厚み分離れた量に設定されている。
【００４０】
更に、操作ノブ４の周縁部４Ｂは裏側に向かって円弧状に折り曲げられており、この周縁部４Ｂとノブベース７のフランジ部７Ｂによってシール部材９の一端の被挟着部９ａが挟み込まれて挟着されており、シール部材９の他端に形成された固定部９ｂはスイッチケース２のフランジ部２Ａの外周面に嵌め込まれて固定されている。尚、実際の組み付けにおいては、先ず、ノブベース７のフランジ部７Ｂがシール部材９の被挟着部９ａに嵌め込まれ、操作ノブ４が前述のようにノブベース７に固定されることによってシール部材９の被挟着部９ａが操作ノブ４の周縁部４Ｂとノブベース７のフランジ部７Ｂによって挟み込まれて挟着される。そして、図３に示すようにシール部材９が組み付けられた状態では、該シール部材９の被挟着部９ａの外周面と操作ノブ４の周縁部４Ｂの外周面とが略面一に連続する面とされており、両者間には段差が生じないために操作ノブ４を引っ掛けてこれを取り外すことができないようになっている。尚、本実施の形態では、シール部材９の被挟着部９ａの外周面と操作ノブ４の周縁部４Ｂの外周面とを略面一に連続する面としたが、操作ノブ４を引っ掛けてこれを取り外すことができないようにするためには、シール部材９の被挟着部９ａの外径を操作ノブ４の周縁部４Ｂの外径よりも大きく設定して操作ノブ４の外周面がシール部材９の被挟着部９ａの外周面より径方向外方に出っ張らないようにすれば良い。
【００４１】
而して、本実施の形態では、図５及び図６に示すように、操作ノブ４の周縁部４Ｂの内面である挟着面（シール部材９の被挟着部９ａに対向する面）には複数の凹凸１０が同心円状に形成されている。又、図６に示すように、操作ノブ４の内面（裏面）の嵌合筒４Ａによって囲まれた円形部分には、光を屈曲させる複数の同心円状のレンズカットで構成される光屈曲部１１が形成されている。尚、操作ノブ４がノブベース７に固定された状態では、図３に示すように、ノブベース７の光透過部７ｃは操作ノブ４との間で閉空間Ｓを形成している。
【００４２】
スイッチケース２の内部に後端開口部から嵌め込まれる前記ターミナルベース５は、後端部に矩形筒状のカプラー部５Ａが一体に形成されており、このカプラー部５Ａよりも前方の前半部５Ｂがスイッチケース２の後端開口部から内部に嵌め込まれて固定されている。即ち、図１に示すように、ターミナルベース５の前半部５Ｂの上下には係合爪５ａ（図１には一方のみ図示）が形成されており、ターミナルベース５は、その前半部５Ｂをスイッチケース２に後端開口部から嵌め込み、その上下に突設された係合爪５ａをスイッチケース２の後端部の上下に形成された前記係合孔２ｃに係合させることによってスイッチケース２に固定される。
【００４３】
そして、ターミナルベース５の前端面には基板１２が垂直に取り付けられており、この基板１２には発光部であるＬＥＤ（発光ダイオード）１３が実装されるとともに、ターミナルベース５から前方に突出する上下２本のターミナル１４が差し込まれて基板１２に電気的に接続されている。又、図１に示すように、ターミナルベース５の側部には軸５ｂが横方向に突設されており、この軸５ｂにはカムスプリング１５が巻装されている。このカムスプリング１５は、その一端がターミナルベース５に係止されており、他端が図３に示すようにスライダ６に形成されたカム６ｃに係合している。尚、図４に示すように、ターミナルベース５のカプラー部５Ａの内部には、上下２本のターミナル１６と上下４本のターミナル１７が収容されている。又、カムスプリング１５とその一端が係合するスライダ６のカム６ｃとはプッシュロック機構を構成している。
【００４４】
以上のように構成された防水スイッチ１において、操作者が操作ノブ４をリターンスプリング８の付勢力に抗して押すと、該操作ノブ４に連結された可動部材３が同方向（図３の右方向）に変位し、可動部材３のスライダ６に設けられた不図示の可動接点がターミナルベース５に設けられた固定接点５ｃに接触するため、当該防水スイッチ１がＯＮされる。そして、操作者が操作ノブ４から手を離しても可動部材３の変位がロックされ、防水スイッチ１のＯＮ状態は前記プッシュロック機構によって維持される。又、防水スイッチ１がＯＮ状態にあるとき、基板１２に実装されたＬＥＤ１３に通電されて該ＬＥＤ１３が起動されると、ＬＥＤ１３から出射する光は、透明なノブベース７の光透過部７ｃを透過して操作ノブ４へと進み、該操作ノブ４の内面に形成された光屈曲部１１で屈曲して外部に向けて出射される。
【００４５】
その後、操作者が操作ノブ４を再度押すと、前記プッシュロック機構による可動部材３のロックが解除され、該可動部材３と操作ノブ４はリターンスプリング８の付勢力によって図３の左方に変位するため、可動部材３のスライダ６に設けられた可動接点がターミナルベース５の固定接点５ｃから離れるために防水スイッチ１がＯＦＦされ、ＬＥＤ１３への通電が遮断されるために該ＬＥＤ１３の発光が停止する。
【００４６】
以上のように、本発明に係る防水スイッチ１によれば、操作ノブ４に形成された周縁部４Ｂとノブベース７との間でシール部材９の被挟着部９ａを挟着するとともに、ノブベース７の凸部７ｆとシール部材９の凹部９ｃとを嵌合させることによってノブベース７とシール部材９との接触面積が増えるため、操作ノブ４と可動部材３との間からの浸水を確実に防ぐことができ、当該防水スイッチ１の防水性が高められる。
【００４７】
又、シール部材９とノブベース７との嵌合部である凹部９ｃと凸部７ｆを操作ノブ４の周縁部４Ｂの端から該操作ノブ４の押込方向にεだけオフセットした位置に形成したため、図５に示すようにシール部材９に操作ノブ４を可動部材３から外す方向の外力Ｆが作用した場合、この外力Ｆは嵌合部である凹部９ｃと凸部７ｆを介して可動部材３によって受けられ、操作ノブ４に外力Ｆが作用することがなく、該操作ノブ４の可動部材３からの離脱が確実に防がれる。
【００４８】
更に、防水スイッチ１の組み付けに際しては、嵌合部であるシール部材９の凹部９ｃとノブベース７の凸部７ｆによってシール部材９が可動部材３に保持された状態で操作ノブ４を組み付けることができるため、シール部材９が本来の位置からずれた位置に固定されることがなく、当該防水スイッチ１の組付性が高められる。
【００４９】
又、本実施の形態においては、スライダ６とノブベース７とを係着することによって可動部材３を構成するとともに、ノブベース７の内周面に、操作ノブ４の係合孔４ａと係合する係合爪７ｄを形成したため、操作ノブ４をノブベース７に確実に固定することができるとともに、該操作ノブ４をノブベース７に固定した後には係合爪７ｄがノブベース７の内部にあるために操作ノブ４を容易に取り外すことができない。そして、ノブベース７と操作ノブ４及びシール部材９をサブ組した後に、スライダ６に対してノブベース７を取り付ければ良いため、当該防水スイッチ１の組立性が高められる。
【００５０】
その他、本実施の形態においては、ノブベース７を透光性材料で構成するとともに、該ノブベース７の光透過部７ｃと操作ノブ４との間に閉空間Ｓが形成されるため、たとえシール部材９の被挟着部９ａから水が浸入したとしても、この水は閉空間Ｓに閉じ込められてそれ以外の部位には流れ込まず、当該防水スイッチ１の防水性が高められる。
【００５１】
尚、本実施の形態では、嵌合部のノブベース７の凸部７ｆとシール部材９の凹部９ｃとの間は隙間なく嵌合しているが、これに限定されるものではなく、シール部材９がノブベース７に保持された状態で操作ノブ４を組み付けることができれば良い。又、嵌合部のオフセット量εは、操作ノブ４の周縁部４Ｂの端とノブベース７の凸部７ｆの面７ｇとの間がシール部材９の厚み分離れた量としているが、操作ノブ４をノブベース７から外す方向の外力がシール部材９に作用した場合に、ノブベース７の凸部７ｆによって操作ノブ４よりも先に外力を受けられる位置に嵌合部を設ければ良いため、シール部材９の厚み分とは、シール部材９の強度を考慮した厚さとすれば良い。
【００５２】
又、本実施の形態では、スイッチケース２に対して可動の操作ノブ４とノブベース７によって蛇腹状のシール部材９の一端に形成された被挟着部９ａを挟着し、シール部材９の他端に形成された固定部９ｂをスイッチケース２の一端に取り付けたため、シール部材９が弾性変形して操作ノブ４と可動部材３の変位を許容するとともに、両者間（可動部）からの水の浸入を確実に防ぐ機能を果たす。そして、透光性材料から成るノブベース７を通って操作ノブ４とスイッチケース２との間からの光の漏れがシール部材９によって確実に防がれるため、当該防水スイッチ１の外観性が高められる。
【００５３】
尚、以上は本発明をプッシュロック方式を採用する防水スイッチに対して適用した形態について説明したが、本発明は、プッシュロック方式を採用しない他の防水スイッチに対しても同様に適用可能であることは勿論である。
【符号の説明】
【００５４】
１          防水スイッチ
２          スイッチケース
２Ａ        スイッチケースのフランジ部
２ａ        スイッチケースの係合爪
２ｂ        スイッチケースのスプリング受け
２ｃ        スイッチケースの係合孔
３          可動部材
４          操作ノブ
４Ａ        操作ノブの嵌合筒
４Ｂ        操作ノブの周縁部
４ａ        操作ノブの係合孔
４ｂ        操作ノブのガイド溝
５          ターミナルベース
５Ａ        ターミナルベースのカプラー部
５Ｂ        ターミナルベースの前半部
５ａ        ターミナルベースの係合爪
５ｂ        ターミナルベースの軸
５ｃ        ターミナルの固定接点
６          スライダ
６Ａ        スライダの嵌合筒
６ａ        スライダの係合爪
６ｂ        スライダのガイド突起
６ｃ        スライダのカム
７          ノブベース
７Ａ        ノブベースの嵌合筒
７Ｂ        ノブベースのフランジ部
７ａ        ノブベースの係合孔
７ｂ        ノブベースのガイド溝
７ｃ        ノブベースの光透過部
７ｄ        ノブベースの係合爪（係合部）
７ｅ        ノブベースのガイド突起
７ｆ        ノブベースの凸部
７ｇ        ノブベースの凸部の面
８          リターンスプリング
９          シール部材
９ａ        シール部材の被挟着部
９ｂ        シール部材の固定部
９ｃ        シール部材の凹部
１０        操作ノブの凹凸
１１        操作ノブの光屈曲部
１２        基板
１３        ＬＥＤ
１４        ターミナル
１５        カムスプリング
１６，１７  ターミナル
Ｓ          閉空間
ε          嵌合部のオフセット量
【図１】
0005892693.tif 000002
【図２】
0005892693.tif 000003
【図３】
0005892693.tif 000004
【図４】
0005892693.tif 000005
【図５】
0005892693.tif 000006
【図６】
0005892693.tif 000007
【図７】
0005892693.tif 000008
【図８】
0005892693.tif 000009